(57)【要約】      （修正有）【課題】乾電池を電源とするが、照明手段であるＬＥＤの照度を抑えて電流消費を極力抑えることで長時間に亘る連続使用を可能にし、また、捕虫シートに反射性を付与することにより、有効な捕虫効果を発揮し得る乾電池式捕虫器を提供する。【解決手段】乾電池と定電流回路を含むコントローラーとを内蔵した箱型ケース１と、箱型ケース１上面の一端部に設置さるＬＥＤモジュール２と、箱型ケース１のＬＥＤモジュール２設置側とは反対側の側面に設けられた起立保持手段３（１７）によって起立状態に保持され、ＬＥＤモジュール２によって照射される捕虫シート４とから成り、捕虫シート４は反射性を有する。【選択図】図２
2019062774.tif 000002
【特許請求の範囲】
【請求項１】
乾電池と定電流回路を含むコントローラーとを内蔵した箱型ケースと、前記箱型ケース上面の一端部に設置さるＬＥＤモジュールと、前記箱型ケースの前記ＬＥＤモジュール設置側とは反対側の側面に設けられた起立保持手段によって起立状態に保持され、前記ＬＥＤモジュールによって照射される捕虫シートとから成り、前記捕虫シートは反射性を有することを特徴とする乾電池式捕虫器。
【請求項２】
前記捕虫シートは、３６０〜３７０ｎｍの波長の紫外光を反射する蛍光顔料を塗布したものである、請求項１に記載の乾電池式捕虫器。
【請求項３】
前記定電流回路による定電流値は１５〜２５ｍＡである、請求項１又は２に記載の乾電池式捕虫器。
【請求項４】
前記起立保持手段は、前記箱型ケースの側面との間に差し込み間隙を保持して設置される背板である、請求項１乃至３のいずれかに記載の乾電池式捕虫器。
【請求項５】
前記ＬＥＤモジュールは、前記箱型ケース上面の一端部に設置されたアングル材の斜面に取り付けられて、斜め下方から前記捕虫シートを照射する、請求項１乃至４のいずれかに記載の乾電池式捕虫器。
【発明の詳細な説明】
【技術分野】
【０００１】
本発明は乾電池式捕虫器、より詳細には、天井裏のように、家庭用ＡＣ電源のコンセントのない場所において、長時間（約１か月）連続使用することが可能な乾電池式捕虫器に関するものである。
【背景技術】
【０００２】
捕虫装置は一般に、捕虫シートと、捕虫シートに誘引光を照射する照明手段とで構成され、誘引光を照射する照明手段としては、ＵＶライトが用いられることが多い。ＵＶライトの電源としては家庭用電源が用いられるが、その場合、ＡＣ電源のコンセントが捕虫装置設置部の近くにあることが必要となる。しかし、天井裏のように、近くにＡＣ電源のコンセントがないような場合には、乾電池や充電器を電源とせざるを得ない。
【０００３】
しかるに、市販されているこの種の捕虫装置において、乾電池使用の場合は、せいぜい３０時間ぐらいしか連続使用することができないため、毎日のように電池交換が必要となり、手間がかかり、コストも嵩むという問題がある。また、充電器を用いる場合は、頻繁に充電する必要があるため、煩わしさを伴う。なお、太陽電池に充電器を付設させる方式が普及しているが、その方式は、本発明において企図している、天井裏等に設置する小型の捕虫器に採用するのには適さない。
【先行技術文献】
【特許文献】
【０００４】
【特許文献１】特開２００３−７０４０２号公報
【特許文献２】特開２００７−２０９３２３号公報
【特許文献３】特開２００４−２０１５１９号公報
【発明の概要】
【発明が解決しようとする課題】
【０００５】
上述したように、天井裏のように、近くにＡＣ電源のコンセントがない場所に用いる捕虫装置は、乾電池や充電器を電源とするが、その場合、乾電池の交換作業や充電器の充電作業を頻繁に行わなければならない煩わしさがあり、また、その分材料コスト及び作業コストが嵩むという問題があった。
【０００６】
そこで本発明は、乾電池を電源とするが、照明手段であるＬＥＤの照度を抑えて電流消費を極力抑えることで長時間に亘る連続使用を可能にし、また、捕虫シートに反射性を付与することにより、有効な捕虫効果を発揮し得る乾電池式捕虫器を提供することを課題とする。
【課題を解決するための手段】
【０００７】
上記課題解決するための請求項１に記載の発明は、乾電池と定電流回路を含むコントローラーとを内蔵した箱型ケースと、前記箱型ケース上面の一端部に設置されるＬＥＤモジュールと、前記箱型ケースの前記ＬＥＤモジュール設置側とは反対側の側面に設けられた起立保持手段によって起立状態に保持され、前記ＬＥＤモジュールによって照射される捕虫シートとから成り、前記捕虫シートは反射性能を有することを特徴とする乾電池式捕虫器である。
【０００８】
一実施形態においては、前記捕虫シートは３６５ｎｍ付近の波長の紫外光を反射する蛍光顔料を塗布したものとされる。
【０００９】
一実施形態においては、前記定電流回路による定電流値は２０ｍＡとされる。
【００１０】
一実施形態においては、前記起立保持手段は、前記捕虫シートを上方から差し込む挟持溝である。また、前記ＬＥＤモジュールは、前記箱型ケース上面の一端部に設置されたアングル材の斜面に取り付けられていて、斜め下方から前記捕虫シートを照射する。
【発明の効果】
【００１１】
本発明に係る乾電池式捕虫器は上記構成であるので、ＡＣ電源がない天井裏や屋外等で使用することができ、ＬＥＤモジュールを定電流回路により定電流値２０ｍＡ程度で弱めに発光させ、且つ、捕虫シートは３６５ｎｍ付近の波長の紫外光を効率よく反射する蛍光顔料を塗布したものとすることで、低電力で従来以上の捕虫効果を発揮させることができ、しかも、長時間に亘る継続使用が可能となる効果がある。
【図面の簡単な説明】
【００１２】
【図１】本発明に係る乾電池式捕虫器の一実施形態の正面図である。
【図２】本発明に係る乾電池式捕虫器の一実施形態の側面図である。
【図３】本発明に係る乾電池式捕虫器のＬＥＤモジュールの一部を切り欠いた拡大図である。
【発明を実施するための形態】
【００１３】
本発明を実施するための形態につき、添付図面に依拠して説明する。図１は、本発明に係る乾電池式捕虫器の一実施形態を示す正面図、図２はその側面図であり、それらに示されるように、本発明に係る乾電池式捕虫器は、乾電池と定電流回路を含むコントローラーとを内蔵した箱型ケース１と、箱型ケース１上面の一端中央部に設置さるＬＥＤモジュール２と、箱型ケース１のＬＥＤモジュール２設置側とは反対側の側面に設けられた起立保持手段３によって起立状態に保持される捕虫シート４とから成り、ＬＥＤモジュール２は、捕虫シート４の中心部に向けて照射することを特徴とする。
【００１４】
箱型ケース１内には、乾電池と定電流回路を含むコントローラーとが配備される。一実施例においては、単１の乾電池が４本用いられ、後述するように、この起電力でもって約３０日間の連続使用が可能である。定電流回路による定電流値は、例えば、２０ｍＡと設定される。
【００１５】
ＬＥＤモジュール２は、端板１１，１１間に、中心部に紫外線を発光するＬＥＤ素子１２を配置した基板１３を配置し、アクリル等の紫外線透過性樹脂カバー１４で被覆して構成される。ＬＥＤモジュール２は、箱型ケース１の上面端部に設置されたアングル材１５の斜面に取り付けられ、斜め下方から捕虫シート４を照射するように配備される。一例として捕虫シート４のサイズはＡ４サイズが想定されており、その場合のアングル材１５の角度は、５０度程度にされる。箱型ケース１の上面には、ＬＥＤモジュール２のオンオフ用スイッチ１６が配置される。
【００１６】
箱型ケース１のＬＥＤモジュール２設置側とは反対側の側面に、捕虫シート４の起立保持手段が配備される。図示した例における起立保持手段３は、箱型ケース１の側面との間に差し込み間隙１８を保持して設置される背板１７である。この場合、捕虫シート４は、単に上方から差し込み間隙１８に差し込むことによりセットされる。捕虫シート４はこのようにセットされる関係上、ある程度の剛性を持たせることが必要となる。起立保持手段としては、他に磁着、粘着等の方法も採用可能である。
【００１７】
捕虫シート４は、３６０〜３７０ｎｍ（最適波長は３６５ｎｍ）の波長の紫外光を反射する蛍光顔料を塗布することにより、反射性を付与される。
【００１８】
上記構成の本発明に係る乾電池式捕虫器は、主に天井裏等のＡＣ電源のコンセントのない暗所において用いられる。スイッチ１６を操作して電源を入れると、ＬＥＤモジュール２のＬＥＤ素子１２が発光し、斜め下方から捕虫シート４を照射する。ＬＥＤ素子１２の発光は、定電流回路により、例えば、２０ｍＡの低電流にて行われるため、低照度の照射ではあるが、捕虫シート４が、特に虫を誘引する３６５ｎｍ付近の波長の紫外光を反射するため、十分な誘引効果がある。そして、反射光に誘引されて捕虫シート４に向かって飛来する虫は、ＬＥＤモジュール２が隠れて見えないため、そこを通過してダイレクトに捕虫シート４に向かって飛翔し、衝突して粘着捕獲される。
【００１９】
このように本発明に係る乾電池式捕虫器は、２０ｍＡ程度の定電流で低照度に照射するため、消費電力が極めて少なくて済み、連続３０日以上の使用が可能となり、また、反射性のある捕虫シート４を用いることで十分な誘引効果が得られ、効率のよい捕虫が可能となるものであり、その産業上の利用可能性は大である。
【符号の説明】
【００２０】
１          箱型ケース
２          ＬＥＤモジュール
３          起立保持手段
４          捕虫シート
１１        端板
１２        ＬＥＤ素子
１３        基板
１４        カバー
１５        アングル材
１６        スイッチ
１７        背板
１８        差し込み間隙
【図１】
2019062774.tif 000003
【図２】
2019062774.tif 000004
【図３】
2019062774.tif 000005